(57)【要約】【課題】エンボス付カード取扱装置の繰出動作時の移動台への削れかす等の堆積を防止して安定した繰出動作を長期間継続することができる手段を提供する。【解決手段】エンボス付カードを集積して収納する収納箱と、収納箱に集積された最下部のエンボス付カードを載置する移動台とを備え、移動台に設けた爪部により載置したエンボス付カードを押して１枚毎に繰出すエンボス付カード取扱装置において、移動台の載置部を移動台の台座から突出させる。【選択図】        図２
2004359389.tif 000002
【特許請求の範囲】
【請求項１】
エンボス付カードを集積して収納する収納箱と、該収納箱に集積された最下部のエンボス付カードを載置する移動台とを備え、該移動台に設けた爪部により前記載置したエンボス付カードを押して１枚毎に繰出すエンボス付カード取扱装置において、
前記移動台の載置部を、移動台の台座から突出させたことを特徴とするエンボス付カード取扱装置。
【請求項２】
請求項１において、
前記台座から突出させる載置部を、板材により形成したことを特徴とするエンボス付カード取扱装置。
【請求項３】
請求項１または請求項２において、
前記移動台の側方に往復動可能な押上げ具を設け、移動台の原位置復帰時に、前記押上げ具により最下部のエンボス付カードを押上げて傾斜させることを特徴とするエンボス付カード取扱装置。
【請求項４】
請求項１、請求項２または請求項３において、
前記収納箱の側板を傾斜させたことを特徴とするエンボス付カード取扱装置。
【発明の詳細な説明】
【０００１】
【発明の属する技術分野】
本発明は、エンボス付カードを１枚毎に繰出すエンボス付カード取扱装置に関する。
【０００２】
【従来の技術】
従来のエンボス付カード取扱装置は、略直方体の移動台の一部を移動台の排出方向の直行方向に切欠いて形成した段状の爪部により収納箱に集積された最下部のエンボス付カードの後端を略水平方向に押してカード排出口から１枚のエンボス付カードを排出し、排出後に移動台を原位置に復帰させてエンボス付カードの１枚毎の繰出動作を行っている（例えば、特許文献１参照。）。
【０００３】
【特許文献１】
特開２０００−３０２２５３号公報（第４頁
【００１８】−
【００２３】、第３図）
【０００４】
【発明が解決しようとする課題】
しかしながら、上述した従来の技術においては、長期間の繰出動作を行わせると、排出動作時のエンボス付カード同士の擦れや復帰動作時の最下部のカードと移動台の爪部との擦れによる削れかすおよびエンボス付カードの切断成形や射出成形の際にエンボス付カードの側面等に僅かに残ったバリの欠落かすが載置部に堆積し、排出動作の押圧時にその削れかす等が爪部の根元に圧縮されて固着し、爪部の段差が小さくなってエンボス付カードの後端を押すことが不可能になり、空振り等によりエンボス付カードの排出ができなくなるという問題がある。
【０００５】
本発明は、上記の問題点を解決するためになされたもので、削れかす等の堆積を防止して安定した繰出動作を長期間継続することができる手段を提供することを目的とする。
【０００６】
【課題を解決するための手段】
本発明は、上記課題を解決するために、エンボス付カードを集積して収納する収納箱と、該収納箱に集積された最下部のエンボス付カードを載置する移動台とを備え、該移動台に設けた爪部により前記載置したエンボス付カードを押して１枚毎に繰出すエンボス付カード取扱装置において、前記移動台の載置部を移動台の台座から突出させたことを特徴とする。
【０００７】
また、前記移動台の側方に往復動可能な押上げ具を設け、移動台の原位置復帰時に、前記押上げ具により最下部のエンボス付カードを押上げて傾斜させることを特徴とする。
【０００８】
更に、前記収納箱の側板を傾斜させたことを特徴とする。
【０００９】
【発明の実施の形態】
以下に、図面を参照して本発明によるエンボス付カード取扱装置の実施の形態について説明する。
【００１０】
第１実施の形態例
図１は第１実施の形態を示す概略上面図、図２は図１のＡ−Ａ断面図、図３は第１実施の形態の移動台を示す斜視図である。
【００１１】
図１、図２、図３において、１はエンボス付カード取扱装置（以下、カード取扱装置という。）である。
【００１２】
２はエンボス付カード（以下、カードという。）であり、数字や記号、文字等を複数並べた文字列によりカード２を１枚毎に区別するためのエンボス部２ａ（図６に図示する。）が設けられる。
【００１３】
また、エンボス部２ａはカード２の上面に文字列を凸部により形成し、その下面は凸部と略同形状の凹部となるように刻印する。
【００１４】
３はカード取扱装置１のロアフレームである。
【００１５】
４は収納箱であり、ロアフレーム３に図示しないネジ等により固定し、カード２を集積して収納する。
【００１６】
５は爪板であり、板材により製作し、収納箱４に集積された最下部のカード２の排出方向後端を押圧する爪部５ａと、最下部のカード２を載置する載置部５ｂとを設ける。
【００１７】
また、爪部５ａの載置部５ｂからの高さは１枚のカード２の厚さより低く設定する。
【００１８】
６は移動台であり、収納箱４の下方に配置し、その台座６ａに設けた嵌合溝に複数（図３の例では２枚）の爪板５の爪部５ａの反対側を嵌合し、載置部５ｂが台座６ａから上方に突出するように、爪板５の排出方向の先端部と後端部が台座６ａから排出方向に突出するように固定ピン７で固定して構成する。
【００１９】
８はスライドシャフトであり、ロアフレーム３に止め輪９により取付け、移動台６の台座６ａを排出方向に貫通して設けたスライド孔６ｂに摺動自在に遊嵌する。
【００２０】
１０はスクリューシャフトであり、ロアフレーム３に止め輪９により回転自在に取付け、移動台６の台座６ａを排出方向に貫通して設けたネジ孔６ｃに回転可能に螺合する。
【００２１】
１１は駆動モータであり、ギア列１２を介してスクリューシャフト１０を回転駆動する。
【００２２】
１３はストッパ孔であり、ロアフレーム３に移動台６の排出方向に沿って設けた略長方形の孔であって、収納箱４の正面板４ａ側の端部に移動台６を当接させて移動台６の排出方向の移動を停止させ、背面板４ｂ側の端部に移動台６を当接させて図１に示す移動台６の原位置に停止させる。
【００２３】
１４は錘であり、収納箱４の側板４ｃに設けたガイド孔１５に図示しないアームを遊嵌させて往復動可能に設置し、収納箱４に収納したカード２を押圧する。
【００２４】
１６はカード排出口であり、ロアフレーム３のステージ部３ａと収納箱４の正面板４ａの下部との間に１枚のカード２の厚さより広く、２枚のカード２の厚さより狭い間隙を設け、収納箱４の正面板４ａの下部にカード２のエンボス部２ａの凸部を通過させるための逃げ部を設けて１枚のカード２のみが通過するようにし、カード２を一枚毎に分離する。
【００２５】
上記の構成の作用について説明する。
【００２６】
カード２は、予めカード２に刻印したエンボス部２ａの凸部を上にし、ロアフレーム３のステージ部３ａと移動台６の載置部５ｂとにカード２の排出方向の先端部と後端部を載置してエンボス部２ａを同一方向にして集積し、錘１４により押圧して略水平に保持して収納箱４に収納する。
【００２７】
カード２を排出する場合は、駆動モータ１１を回転させ、ギア列１２により移動台６のネジ孔６ｃに螺合するスクリューシャフト１０を回転させ、移動台６のスライド孔６ｂに遊嵌するスライドシャフト８に移動台６の移動を案内させて図１に示す移動台６の原位置からカード排出口１６の方向へ移動させる。
【００２８】
この移動台６の移動に伴って、最下部のカード２の後端を爪板５の爪部５ａが押し、最下部のカード２がカード排出口１６から押出され、移動台６がストッパ孔１３の正面板４ａ側の端部に当接して停止する。
【００２９】
この排出動作の過程で、カード排出口１６に設けた間隙が上位のカード２の連れ出しを防止して１枚のカード２がカード排出口１６から排出され、排出されたカード２は図示しない搬送路等により収納箱４の外部へ搬送される。
【００３０】
カード２が収納箱４の外部へ搬送されると、駆動モータ１１が逆に回転してスクリューシャフト１０を逆回転させ、移動台６をストッパ孔１３の背面板４ｂ側の端部に当接させて原位置に復帰させ、爪部５ａが次の最下部のカード２の後端を通過すると錘１４によりカード２が爪板５の載置部５ｂに落下して次の最下部のカード２を略水平に保持する。
【００３１】
上記の排出動作とこの復帰動作によりカード２を１枚毎に分離しながらの繰出動作が行われる。
【００３２】
この繰出動作の過程で発生する削れかす等は、爪板５が狭い幅で構成されているために載置部５ｂに削れかす等が堆積し難くなり、また堆積した削れかすも移動台６の原位置への復帰動作に伴う振動や次の最下部のカード２の載置部５ｂへの落下に伴う動きや風圧等により一段低く設けられた台座６ａの上面に落下して爪部５ａの根元に削れかす等が固着することを防止する。
【００３３】
また、爪板５の排出方向の先端部と後端部を台座６ａから突出するようにしているために台座６ａの上面に落下した削れかす等は、排出動作や復帰動作の停止時の慣性力等により台座６ａとロアフレーム３の隙間から更に落下し、図示しない回収箱等に回収される。
【００３４】
以上説明したように、本実施の形態では、爪部と載置部を有する複数の爪板を載置部が台座から突出するようにして移動台を構成するようにしたことによって、載置部へ堆積した削れかす等の台座の上面への落下を促進し、削れかす等の堆積を防止して安定した繰出動作を長期間継続させることができる。
【００３５】
また、爪板の載置部を板材により形成するようにしたことによって、載置部を狭い幅に形成することができ、載置部への削れかす等の堆積を困難にして削れかす等の堆積を防止することができる。
【００３６】
なお、本実施の形態では、板材で製作した爪板の載置部を台座から突出するように固定して載置部と台座の上面との段差を形成するとして説明したが、段差の形成は略直方体の角材を切削加工等により切出して載置部や段差を一体に形成するようにしても、載置部と爪部を含む上面と下面とを貫通する丸穴または角孔により形成するようにしてもよく、載置部と台座の上面との高低差が形成されればどのような構成でもよい。
【００３７】
また、爪部は図３に示すように段状に形成するとして説明したが、爪部の上部を排出方向に傾けた傾斜、例えば５度程度傾けた傾斜を設けて形成するようにしてもよい。これにより載置部に僅かに残留した削れかす等が圧縮されるのを防止することができ、安定した繰出動作を更に長期間継続させることができる。
【００３８】
更に、移動台を構成する台座と爪板は同一の材料で製作する必要はなく、金属材料と樹脂材料を組合せて用いるようにしてもよい。
【００３９】
第２実施の形態例
図４は第２実施の形態を示す概略側面図、図５はその概略背面図である。
【００４０】
なお、上記第１実施の形態例と同様の部分は、同一の符号を付してその説明を省略する。
【００４１】
図４、図５において、２１は押上げ具としてのプッシュローラであり、カード２の下方で、移動台６の側方と収納箱４の側板４ｃとの間に配置し、止め輪２２によりローラ軸２３の一端に取付けて回転自在に支持する。
【００４２】
２４はリンクであり、その端部にローラ軸２３の他端を固定し、反対側の端部を収納箱４の側板４ｃに固定した図示しないブラケット等に設けた支点ピン２５により回動自在に支持されて支点ピン２５を中心として回動する。
【００４３】
２６はソレノイドであり、収納箱４の側板４ｃに図示しないブラケット等により固定し、通電によりプランジャ２７を吸引してプランジャ２７をその内部へ引込む。
【００４４】
２８は連結ピンであり、プランジャ２７のソレノイド２６と反対側の端部と、リンク２４のローラ軸２３の固定端と支点ピン２５の支持端との中間とを連結する。
【００４５】
２９はリセットスプリングであり、一端をカード取扱装置１のフレーム等に固定して他端をリンク２４に係止し、プランジャ２７をソレノイド２６の内部から引出す方向に付勢力を発揮する。
【００４６】
３０はロアフレーム３と収納箱４の側板４ｃに設けた開口部であり、ソレノイド２６によりリンク２４を介して往復動可能に構成したプッシュローラ２１をカード２の方向に引上げまたは引戻したとき、プッシュローラ２１とローラ軸２３の移動を妨げないように構成する。
【００４７】
上記の構成の作用について説明する。
【００４８】
収納箱４に収納されたカード２の排出動作は、上記第１実施の形態例の排出動作と同様であるので、その説明を省略する。
【００４９】
カード２が収納箱４の外部へ搬送されると、ソレノイド２６に通電してプランジャ２７をリセットスプリング２９の付勢力に抗してソレノイド２６の内部へ引込み、連結ピン２８により連結しているリンク２４を引上げる。
【００５０】
これにより、リンク２４が支点ピン２５を中心としてカード２の方向へ回動し、リンク２４に固定したローラ軸２３に取付けたプッシュローラ２１を収納箱４に収納されている次の最下部のカード２の下面に当接させ、収納されている全てのカード２の一端を押上げてカード２を傾け、図５に２点鎖線で示すようにプッシュローラ２１により次の最下部のカード２の下面が爪板５の爪部５ａに触れないように傾ける。
【００５１】
そして、駆動モータ１１を逆に回転させて第１実施の形態例と同様に移動台６の復帰動作を行わせ、移動台６が原位置に停止した時にソレノイド２６の通電を解除し、リセットスプリング２９によりリンク２４を介してプッシュローラ２１を引戻し、錘１４により次の最下部のカード２が爪板５の載置部５ｂとステージ部３ａとの上に落下して次の最下部のカード２を略水平に保持する。
【００５２】
上記の排出動作と復帰動作によりカード２を１枚毎に分離しながらの繰出動作が行われる。
【００５３】
以上説明したように、本実施の形態では、第１実施の形態例の効果に加えて、移動台の復帰動作時にプッシュローラによりカードの一端を押上げて傾け、カードの下面に移動台の爪板の爪部が触れないようにしたことによって、復帰動作に伴うカードの下面と爪板との擦れを解消し、擦れによる削れかす等の発生を防止して載置部への削れかす等の堆積を防止し、安定した繰出動作を長期間継続させることができると共にカードの損傷を防止することができる。
【００５４】
第３実施の形態例
図６は第３実施の形態を示す概略背面図である。
【００５５】
なお、上記第１および第２実施の形態例と同様の部分は、同一の符号を付してその説明を省略する。
【００５６】
本実施の形態では図６に示すように収納箱４の側板４ｃの上部をプッシュローラ２１の方向に傾け、側板４Ｃに傾斜を設けて構成する。その他の構成は第２実施の形態例と同様であるのでその説明を省略する。
【００５７】
上記の構成の作用について説明する。
【００５８】
カード２を収納箱４に集積する場合は、予めカード２に刻印したエンボス部２ａの凸部を上にし、ロアフレーム３のステージ部３ａと移動台６の載置部５ｂとにカード２の排出方向の先端部と後端部を載置してエンボス部２ａを同一方向にして集積し、錘１４により押圧して略水平に保持して収納箱４に収納する。
【００５９】
この時、収納箱４の側板４ｃに設けた傾斜により収納箱４に集積するカード２を案内し、集積時にカード２の集積方向の位置にずれが生じ、カード２のエンボス部２ａの凸部とその上位のカード２のエンボス部２ａの下面の凹部の位置がずれた状態で集積される。
【００６０】
このようにして集積されたカード２の排出動作は、第１実施の形態例と同様であり、復帰動作は第２実施の形態例と同様であるのでその説明を省略する。
【００６１】
なお、復帰動作において、プッシュローラ２１によりを収納箱４に収納されている全てのカード２の一端を押上げてカード２を傾けた時に、カード２が側板４ｃの傾斜に当接し、カード２がプッシュローラ２１の方向への反力を受けて更にその集積方向の位置がずれる。
【００６２】
これにより、移動台６が原位置に停止した時のプッシュローラ２１を引戻しの際に、カード２が載置部５ｂ等の上に落下する時にカード２が更に捌けて凸部と凹部の噛合いを防止する。
【００６３】
このような、排出動作と復帰動作によりカード２を捌きながら１枚毎の繰出動作が行われる。
【００６４】
このことは、例えば予め文字列を連続番号で刻印したエンボス部２ａを有するカード２のように大部分のカード２において隣接するカード２に刻印された数字が１箇所を除き全て同じ数字が刻印されるカード２を取扱う場合に特に有効である。
【００６５】
以上説明したように、本実施の形態では、第１および第２実施の形態例の効果に加えて、収納箱の側板に傾斜を設け、集積するカードの集積方向の位置をずらすようにしたことによって、最下部のカードのエンボス部の凸部とその上位のカードの下面のエンボス部の凹部とが噛合うことがなくなり、排出動作の際に凸部の角部で凹部の角部を擦ることによる削れかす等の発生を防止して載置部への削れかす等の堆積を防止し、安定した繰出動作を長期間継続させることができる。
【００６６】
また、プッシュローラによりカードの一端を押上げて繰出動作の度にカードを捌くようにしたことによって、カードのエンボス部の凸部と凹部の重度の噛合いによる最下部のカード２の排出不能を防止することができ、円滑な繰出動作を行わせることができる。
【００６７】
なお、第１実施の形態例の収納箱に上記第３実施の形態例の側板の傾斜を適用すれば上記のカード集積時の効果と同様の効果を得ることができる。
【００６８】
この場合に、側板に設ける傾斜の方向は一対の側板を同じ方向に傾斜させるのであればどちらの方向に傾斜させても同様である。
【００６９】
【発明の効果】
以上述べたように、本発明は、爪部と載置部を有する複数の爪板を載置部が台座から突出するようにして移動台を構成するようにしたことによって、載置部へ堆積した削れかす等の台座の上面への落下を促進し、削れかす等の堆積を防止して安定したエンボス付カードの繰出動作を長期間継続させることができるという効果が得られる。
【００７０】
また、移動台の復帰動作時にプッシュローラによりカードの一端を押上げて傾け、エンボス付カードの下面に移動台の爪板の爪部が触れないようにしたことによって、復帰動作に伴うエンボス付カードの下面と爪板との擦れを解消し、擦れによる削れかす等の発生を防止して載置部への削れかす等の堆積を防止し、安定した繰出動作を長期間継続させることができると共にエンボス付カードの損傷を防止することができるという効果が得られる。
【００７１】
更に、収納箱の側板に傾斜を設け、集積するエンボス付カードの集積方向の位置をずらすようにしたことによって、最下部のエンボス付カードのエンボス部の凸部とその上位のエンボス付カードの下面のエンボス部の凹部とが噛合うことがなくなり、排出動作の際に凸部の角部で凹部の角部を擦ることによる削れかす等の発生を防止して載置部への削れかす等の堆積を防止し、安定した繰出動作を長期間継続させることができるという効果が得られる。
【図面の簡単な説明】
【図１】第１実施の形態を示す概略上面図
【図２】図１のＡ−Ａ断面図
【図３】第１実施の形態の移動台を示す斜視図
【図４】第２実施の形態を示す概略側面図
【図５】第２実施の形態を示す概略背面図
【図６】第３実施の形態を示す概略背面図
【符号の説明】
１    カード取扱装置
２    カード
２ａ  エンボス部
３    ロアフレーム
３ａ  ステージ部
４    収納箱
４ａ  正面板
４ｂ  背面板
４ｃ  側板
５    爪板
５ａ  爪部
５ｂ  載置部
６    移動台
６ａ  台座
６ｂ  スライド孔
６ｃ  ネジ孔
７    固定ピン
８    スライドシャフト
９、２２  止め輪
１０  スクリューシャフト
１１  駆動モータ
１２  ギア列
１３  ストッパ孔
１４  錘
１５  ガイド孔
１６  カード排出口
２１  プッシュローラ
２３  ローラ軸
２４  リンク
２５  支点ピン
２６  ソレノイド
２７  プランジャ
２８  連結ピン
２９  リセットスプリング
３０  開口部
【図１】
2004359389.tif 000003
【図２】
2004359389.tif 000004
【図３】
2004359389.tif 000005
【図４】
2004359389.tif 000006
【図５】
2004359389.tif 000007
【図６】
2004359389.tif 000008